(57)【要約】【課題】モジュール枠体をリベット本体により連結する場合において、モジュール枠体に傷が付くのを抑制することが可能な太陽電池モジュールを提供する。【解決手段】太陽電池モジュールは、太陽電池モジュール本体と、太陽電池モジュール本体を支持するモジュール枠体と、モジュール枠体を連結するためのリベット本体とを備える。リベット本体は、円筒部と、円筒部の一方端部に形成されたフランジ部と、円筒部の他方端部に形成されたかしめ部とを含み、フランジ部は、モジュール枠体と接触する面が平坦に形成されている。【選択図】図４
2014086444.tif 000002
【特許請求の範囲】
【請求項１】
太陽電池モジュール本体と、
前記太陽電池モジュール本体を支持するモジュール枠体と、
前記モジュール枠体を連結するためのリベット本体とを備え、
前記リベット本体は、円筒部と、前記円筒部の一方端部に形成されたフランジ部と、前記円筒部の他方端部に形成されたかしめ部とを含み、
前記フランジ部は、前記モジュール枠体と接触する面が平坦に形成されていることを特徴とする太陽電池モジュール。
【請求項２】
請求項１に記載の太陽電池モジュールであって、
前記モジュール枠体の表面には、めっきが施されていることを特徴とする太陽電池モジュール。
【請求項３】
請求項１または２に記載の太陽電池モジュールであって、
前記リベット本体と、前記かしめ部を形成するためのマンドレルとによりブラインドリベットを構成し、
前記円筒部の他方端部には、前記マンドレルの一部が残されていることを特徴とする太陽電池モジュール。
【請求項４】
太陽電池モジュール本体と、
前記太陽電池モジュール本体を支持するモジュール枠体と、
前記モジュール枠体を連結するためのリベット本体とを備え、
前記リベット本体は、円筒部と、前記円筒部の一方端部に形成されたフランジ部と、前記円筒部の他方端部に形成されたかしめ部とを含み、
前記フランジ部と前記モジュール枠体との間には、平ワッシャが設けられていることを特徴とする太陽電池モジュール。
【発明の詳細な説明】
【技術分野】
【０００１】
本発明は、太陽電池モジュール本体とモジュール枠体とを備える太陽電池モジュールに関する。
【背景技術】
【０００２】
従来、太陽電池モジュール本体と、太陽電池モジュール本体を支持するモジュール枠体とを備える太陽電池モジュールが知られている（たとえば、特許文献１参照）。
【０００３】
特許文献１には、太陽電池セルが封止された封止体（太陽電池モジュール本体）と、封止体の周縁に取り付けられた枠体（モジュール枠体）とを備える太陽電池モジュールが開示されている。封止体は、平面的に見て長方形状に形成されている。枠体は、封止体の長辺に沿って配置される一対の長フレームと、封止体の短辺に沿って配置される一対の短フレームとを含んでいる。長フレームおよび短フレームの両端部には傾斜面が形成されており、隣接する長フレームおよび短フレームの傾斜面が互いに突き合わされている。そして、隣接する長フレームおよび短フレームは、ねじを用いて連結されている。
【先行技術文献】
【特許文献】
【０００４】
【特許文献１】特開平１１−３０３３４７号公報
【発明の概要】
【発明が解決しようとする課題】
【０００５】
ここで、隣接するフレームの連結作業の簡略化を図るために、リベットを用いて隣接するフレームの連結を行うことが考えられる。しかしながら、リベットのフランジ部が皿状に形成されている場合には、フランジ部の円形状の開放端がフレームに線接触するので、フレームに傷が付きやすいという問題点がある。
【０００６】
本発明は、上記の課題を解決するためになされたものであり、本発明の目的は、モジュール枠体をリベット本体により連結する場合において、モジュール枠体に傷が付くのを抑制することが可能な太陽電池モジュールを提供することである。
【課題を解決するための手段】
【０００７】
上記した目的を達成するために、本発明による太陽電池モジュールは、太陽電池モジュール本体と、太陽電池モジュール本体を支持するモジュール枠体と、モジュール枠体を連結するためのリベット本体とを備える。リベット本体は、円筒部と、円筒部の一方端部に形成されたフランジ部と、円筒部の他方端部に形成されたかしめ部とを含み、フランジ部は、モジュール枠体と接触する面が平坦に形成されている。
【０００８】
上記太陽電池モジュールにおいて、モジュール枠体の表面には、めっきが施されていてもよい。
【０００９】
上記太陽電池モジュールにおいて、リベット本体と、かしめ部を形成するためのマンドレルとによりブラインドリベットを構成し、円筒部の他方端部には、マンドレルの一部が残されていてもよい。
【００１０】
また、本発明による太陽電池モジュールは、太陽電池モジュール本体と、太陽電池モジュール本体を支持するモジュール枠体と、モジュール枠体を連結するためのリベット本体とを備える。リベット本体は、円筒部と、円筒部の一方端部に形成されたフランジ部と、円筒部の他方端部に形成されたかしめ部とを含み、フランジ部とモジュール枠体との間には、平ワッシャが設けられている。
【発明の効果】
【００１１】
本発明の太陽電池モジュールによれば、モジュール枠体をリベット本体により連結する場合において、モジュール枠体に傷が付くのを抑制することができる。
【図面の簡単な説明】
【００１２】
【図１】本発明の実施の形態による太陽電池モジュールの全体構成を示した斜視図である。
【図２】図１のＡ−Ａ断面図である。
【図３】図１のＢ−Ｂ断面図である。
【図４】図１の太陽電池モジュールのリベット本体を示した断面図である。
【図５】図１の太陽電池モジュールの角部を示した分解斜視図である。
【図６】図１の太陽電池モジュールのモジュール枠体の連結に用いられるブラインドリベットを示した平面図である。
【図７】本実施の形態の変形例による太陽電池モジュールのリベット本体を示した断面図である。
【発明を実施するための形態】
【００１３】
以下、本発明の実施の形態について図面を参照して説明する。
【００１４】
まず、図１〜図５を参照して、本実施の形態による太陽電池モジュール１００について説明する。
【００１５】
太陽電池モジュール１００は、図１に示すように、太陽電池モジュール本体１と、太陽電池モジュール本体１を支持するモジュール枠体２および３とを備えている。
【００１６】
太陽電池モジュール本体１は、平面的に見て長方形状に形成されており、長辺がモジュール枠体２により支持され、短辺がモジュール枠体３により支持されている。この太陽電池モジュール本体１では、裏面側の保護部材と表面側の透光性基板との間に、複数の太陽電池セルが配置されるとともに、その太陽電池セルを封止する封止部材が充填されている。なお、太陽電池セルは、シリコン系太陽電池（たとえば、結晶系またはアモルファス系）、化合物系太陽電池（たとえば、ＧａＡｓ系またはＣＩＳ系）、または、有機系太陽電池（たとえば、色素増感型）のいずれであってもよい。
【００１７】
モジュール枠体２は、太陽電池モジュール本体１の長手方向に沿って延びるように形成され、太陽電池モジュール本体１を挟んで対向するように２つ設けられている。このモジュール枠体２は、図２に示すように、底面部２１と、底面部２１から垂直方向に立ち上げられた側面部２２と、側面部２２の上端部に形成された嵌合部２３とを含んでいる。
【００１８】
底面部２１は、太陽電池モジュール本体１と平行になるように形成されている。側面部２２には、長手方向の両端部にそれぞれ当接面２４が形成されている。当接面２４は、図５に示すように、側面部２２に対して内側（太陽電池モジュール本体１側）に直角に折れ曲がるように形成され、一対の下穴２４ａを有する。嵌合部２３は、側方が開放された溝状に形成されており、太陽電池モジュール本体１が嵌合されるように構成されている。
【００１９】
モジュール枠体３は、図１に示すように、太陽電池モジュール本体１の短手方向に沿って延びるように形成され、太陽電池モジュール本体１を挟んで対向するように２つ設けられている。このモジュール枠体３は、図３に示すように、底面部３１と、底面部３１から垂直方向に立ち上げられた側面部３２と、側面部３２の上端部に形成された嵌合部３３とを含んでいる。
【００２０】
底面部３１は、太陽電池モジュール本体１と平行になるように形成され、底面部２１と同一平面上に配置されている。側面部３２には、長手方向の両端部にそれぞれ一対の下穴３２ａが形成されている。この下穴３２ａは、図５に示すように、当接面２４の下穴２４ａと対応する位置に配置されている。嵌合部３３は、側方が開放された溝状に形成されており、太陽電池モジュール本体１が嵌合されるように構成されている。
【００２１】
また、モジュール枠体２および３は、たとえばガルバリウム鋼板（アルミニウム−亜鉛合金めっき鋼板）製であり、防食性の向上および製造コストの低減を図っている。すなわち、モジュール枠体２および３の表面にはめっきが施されている。なお、モジュール枠体２の下穴２４ａおよびモジュール枠体３の下穴３２ａは、打ち抜き加工または切削加工などにより形成されており、下穴２４ａおよび３２ａの内周面にはめっきが施されていない。
【００２２】
ここで、隣接するモジュール枠体２および３は、ブラインドリベット４を構成するリベット本体４１（図５参照）により連結されている。
【００２３】
具体的には、太陽電池モジュール１００の各角部では、図３および図５に示すように、モジュール枠体３の側面部３２の内側にモジュール枠体２の当接面２４が当接されている。このとき、図４に示すように、下穴３２ａおよび２４ａが連なるように配置されており、１つの貫通孔を構成している。なお、外側に配置される下穴３２ａは、内側に配置される下穴２４ａよりも径が大きくなるように形成されている。ここで、内側とは、モジュール枠体２および３により取り囲まれる領域側であり、外側とは、その反対側である。
【００２４】
そして、リベット本体４１は、下穴３２ａおよび２４ａ内に配置される円筒部４１ａと、円筒部４１ａの一方端部に形成されたフランジ部４１ｂと、円筒部４１ａの他方端部に形成されたかしめ部４１ｃとを含んでいる。
【００２５】
円筒部４１ａは、下穴２４ａ内に配置される部分（内側の部分）に比べて、下穴３２ａ内に配置される部分（外側の部分）が径方向に膨らむように形成されている。このため、円筒部４１ａは、下穴３２ａの内周面に接触するとともに、下穴２４ａの内周面に接触するように構成されている。
【００２６】
フランジ部４１ｂは、モジュール枠体３の側面部３２の外側に配置され、側面部３２と接触する面が平坦に形成されている。また、フランジ部４１ｂは、下穴３２ａよりも径が大きくされており、側面部３２と係合するように構成されている。
【００２７】
かしめ部４１ｃは、モジュール枠体２の当接面２４の内側に配置されている。また、かしめ部４１ｃは、下穴２４ａよりも径が大きくされており、当接面２４と係合するように構成されている。なお、かしめ部４１ｃの内側にはブラインドリベット４を構成するマンドレル４２のヘッド４２ａが残されるとともに、円筒部４１ａの内部にはマンドレル４２のシャフト部分の一部が残されており、それらのマンドレル４２の一部により円筒部４１ａが塞がれている。
【００２８】
すなわち、リベット本体４１は、円筒部４１ａの両端に形成されたフランジ部４１ｂおよびかしめ部４１ｃにより、側面部３２および当接面２４を挟持することによって、隣接するモジュール枠体２および３を連結するように構成されている。
【００２９】
−ブラインドリベット−
次に、図６を参照して、隣接するモジュール枠体２および３を連結するためのブラインドリベット４の構造について説明する。
【００３０】
ブラインドリベット４は、図６に示すように、締結体として機能するリベット本体４１と、リベット本体４１をかしめるためのマンドレル４２とにより構成されている。このブラインドリベット４は、たとえばステンレス製である。
【００３１】
リベット本体４１は、マンドレル４２を挿入可能に形成された筒状の円筒部４１ａと、円筒部４１ａの一方端部に形成されたフランジ部４１ｂとを含んでいる。円筒部４１ａは、マンドレル４２のシャフト部分よりも大きい内径を有するとともに、下穴３２ａおよび２４ａ（図４参照）よりも小さい外径を有する。フランジ部４１ｂは、円筒部４１ａ側の面が平坦に形成されている。マンドレル４２は、棒状に形成されるとともに、一方端部に円筒部４１ａの内径よりも径が大きいヘッド４２ａが形成されている。
【００３２】
そして、ブラインドリベット４では、マンドレル４２のヘッド４２ａが円筒部４１ａの他方端部側に配置されるように、マンドレル４２が円筒部４１ａに挿入されている。すなわち、マンドレル４２のヘッド４２ａと円筒部４１ａの他方端部とが係合されている。
【００３３】
−連結方法−
次に、ブラインドリベット４を用いてモジュール枠体２および３を連結する方法について説明する。
【００３４】
まず、モジュール枠体３の側面部３２（図５参照）がモジュール枠体２の当接面２４（図５参照）に突き合わされる。これにより、図４に示すように、モジュール枠体３の側面部３２とモジュール枠体２の当接面２４とが隣接配置される。このとき、側面部３２の下穴３２ａと当接面２４の下穴２４ａとが対応するように配置される。
【００３５】
そして、モジュール枠体３側からブラインドリベット４（図５参照）が挿入される。すなわち、ブラインドリベット４は、外側（太陽電池モジュール本体１とは反対側）から挿入される。これにより、円筒部４１ａが下穴３２ａおよび２４ａ内に配置されるとともに、フランジ部４１ｂがモジュール枠体３の側面部３２の外側に配置される。また、マンドレル４２のヘッド４２ａは、当接面２４よりも内側に配置される。なお、側面部３２には、フランジ部４１ｂの平坦に形成された面が接触されている。
【００３６】
その後、リベッター（図示省略）によりマンドレル４２がリベット本体４１から引き抜かれるとともに、マンドレル４２のシャフト部分が切断される。これにより、図４に示すように、円筒部４１ａの他方端部にかしめ部４１ｃが形成される。したがって、下穴３２ａおよび２４ａ内に円筒部４１ａが挿入された状態で、フランジ部４１ｂおよびかしめ部４１ｃにより側面部３２および当接面２４が挟持される。なお、かしめ部４１ｃを形成する際に、円筒部４１ａの外側（フランジ部４１ｂ側）の部分が径方向に膨らむので、円筒部４１ａが下穴３２ａおよび２４ａの内周面に接触している。また、円筒部４１ａの他方端部には、ヘッド４２ａを含むマンドレル４２の一部が残されている。
【００３７】
以上により、隣接するモジュール枠体２および３がリベット本体４１により連結される。なお、この隣接するモジュール枠体２および３の連結は、太陽電池モジュール１００の４つの角部でそれぞれ行われる。
【００３８】
−効果−
本実施の形態では、上記のように、側面部３２と接触するフランジ部４１ｂの面を平坦にすることによって、フランジ部が皿状に形成されている場合と異なり、モジュール枠体３の側面部３２とフランジ部４１ｂとが面接触するので、側面部３２に傷が付くのを抑制することができる。すなわち、モジュール枠体３の表面に施されためっきが剥離するのを抑制することができるので、モジュール枠体３の防食性が低下するのを抑制するとともに、美観が低下するのを抑制することができる。特に、モジュール枠体３として、ガルバリウム鋼板を用いた場合は、傷がつきやすいため、モジュール枠体３の防食性低下や美観低下を防ぐということに関して、より大きな効果を得ることができる。
【００３９】
また、本実施の形態では、外側に配置される下穴３２ａの径を内側に配置される下穴２４ａの径よりも大きくすることによって、かしめ部４１ｃを形成する際に円筒部４１ａの外側（フランジ部４１ｂ側）が径方向に膨らんでも、円筒部４１ａを下穴３２ａおよび２４ａの内周面に接触させることができる。このため、リベット本体４１により、めっきが施されていない下穴２４ａおよび３２ａの内周面を介して隣接するモジュール枠体２および３を導通させることができる。
【００４０】
また、本実施の形態では、ブラインドリベット４を用いて隣接するモジュール枠体２および３を連結することによって、ねじを用いてモジュール枠体を連結する場合に比べて、連結作業の簡略化を図ることができる。また、モジュール枠体２および３に雌ねじ部を形成する必要がないので、モジュール枠体２および３の構造を簡素化することができる。
【００４１】
−他の実施の形態−
なお、今回開示した実施の形態は、すべての点で例示であって、限定的な解釈の根拠となるものではない。したがって、本発明の技術的範囲は、上記した実施の形態のみによって解釈されるものではなく、特許請求の範囲の記載に基づいて画定される。また、本発明の技術的範囲には、特許請求の範囲と均等の意味および範囲内でのすべての変更が含まれる。
【００４２】
たとえば、本実施の形態では、太陽電池モジュール本体１が平面的に見て長方形である例を示したが、これに限らず、太陽電池モジュール本体が平面的に見て五角形などのその他の形状であってもよい。
【００４３】
また、図７に示す変形例のように、フランジ部４１ｂとモジュール枠体３の側面部３２との間に平ワッシャ５が設けられていてもよい。このように構成すれば、フランジ部４１ｂが皿状に形成されている場合であっても、平ワッシャ５によりフランジ部４１ｂがモジュール枠体３に接触するのを防止することができるので、モジュール枠体３に傷が付くのを抑制することができる。
【００４４】
また、本実施の形態では、モジュール枠体２および３がガルバリウム鋼板製である例を示したが、これに限らず、モジュール枠体がその他のめっき鋼板製であってもよいし、めっきが施されていなくてもよい。
【符号の説明】
【００４５】
１      太陽電池モジュール本体
２、３  モジュール枠体
４      ブラインドリベット
５      平ワッシャ
４１    リベット本体
４１ａ  円筒部
４１ｂ  フランジ部
４１ｃ  かしめ部
４２    マンドレル
１００  太陽電池モジュール
【図１】
2014086444.tif 000003
【図２】
2014086444.tif 000004
【図３】
2014086444.tif 000005
【図４】
2014086444.tif 000006
【図５】
2014086444.tif 000007
【図６】
2014086444.tif 000008
【図７】
2014086444.tif 000009